(57)【要約】      （修正有）【課題】コーキング材や接着剤等の流動性物質を所望の箇所に施与する際に、ノズル付きフィルム製容器を握った方の手のみで充填された流動性物質を出し切ることができ、また、途中で流動性物質の使用を中断する場合であっても、ノズルから漏れ出ることを防止し、ノズルおよび容器が任意の形状であっても装着可能である流動性物質の吐出用アダプタを提供する。【解決手段】ノズル付きフィルム製容器に充填された流動性物質の吐出用アダプタ１であって、前記ノズル付きフィルム製容器を収容する、弾性を有する本体部１１と、該本体部１１の一方の端部に設けられている、前記ノズル付きフィルム製容器のノズルが着脱自在に嵌合されるノズル口１２と、該本体部１１の他方の端部に設けられている開口部を密封する蓋部１３とを有し、前記本体部１１の側面部に、該側面部を貫通した吸気口が設けられていることを特徴とする流動性物質の吐出用アダプタ１。【選択図】図１
2015137120.tif 000002
【特許請求の範囲】
【請求項１】
ノズル付きフィルム製容器に充填された流動性物質の吐出用アダプタであって、
前記ノズル付きフィルム製容器を収容する、弾性を有する本体部と、該本体部の一方の端部に設けられている、前記ノズル付きフィルム製容器のノズルが着脱自在に嵌合されるノズル口と、該本体部の他方の端部に設けられている開口部を密封する蓋部とを有し、
前記本体部の側面部に、該側面部を貫通した吸気口が設けられていることを特徴とする流動性物質の吐出用アダプタ。
【請求項２】
前記吸気口に、逆止弁が設けられていることを特徴とする請求項１に記載の流動性物質の吐出用アダプタ。
【請求項３】
前記吸気口が、直径１ｍｍ〜５ｍｍの円形状であることを特徴とする請求項１または２に記載の流動性物質の吐出用アダプタ。
【請求項４】
前記吸気口が、前記ノズル口側の端部と前記蓋部側の端部との間の中央に位置するアダプタ中央部、前記アダプタ中央部と前記ノズル口側の端部との間の中央部から前記アダプタ中央部までの間、または前記アダプタ中央部と前記蓋部側の端部との間の中央部から前記アダプタ中央部までの間に設けられていることを特徴とする請求項１乃至３のいずれか１項に記載の流動性物質の吐出用アダプタ。
【請求項５】
前記ノズル口に設けるパッキンが、交換可能であることを特徴とする請求項１乃至４のいずれか１項に記載の流動性物質の吐出用アダプタ。
【発明の詳細な説明】
【技術分野】
【０００１】
本発明は、空気圧を利用して、ノズル付きフィルム製容器に充填された流動性物質をノズル付きフィルム製容器のノズルから吐出するためのアダプタに関するものである。
【背景技術】
【０００２】
従来、建築現場などにおいて、コーキング材や接着剤などは、ノズル付きフィルム製容器に充填された状態で用いられてきた。作業者がノズル付きフィルム製容器を強く握ることで、コーキング材や接着剤などの内容物をノズルから押し出し、所望の箇所にコーキング材や接着剤を、所望量、施与していた。
【０００３】
コーキング材や接着剤を施与するにあたっては、作業効率の向上が求められる。そこで、例えば、特許文献１に、コーキングガンを使用する必要がなく作業スピードが向上するとともに、手等を汚すことなく作業性が改善されたコーキング材吐出治具として、筒状のフィルムパックに収容された粘性体を、フィルムパックの一端側を開口させて他端側から絞り出す際に使用する粘性体の吐出治具であって、吐出治具本体は、略円錐状に形成されたノズルの裾部に、開口したフィルムパックの一端側周面を支持する支持部を設けると共に、フィルムパックを水密的に貼付ける接着手段を設けたものが提案されている。
【０００４】
しかし、特許文献１の治具では、一度、作業者が持ち手を握り切ってしまうと、連続して使用する際にフィルムパックを被せたフィルム状覆袋部分を両手で握り直したり、フィルムパック内に偏在した内容物を手で扱いて集めたりしなければならず、依然として、作業効率に問題があった。また、特許文献１の治具では、一方の手でコーキング材や接着剤など充填した治具を持ち、他方の手でヘラや被着体を持って作業をする際には、フィルムパックを被せたフィルム状覆袋の部分を握り切ってしまうたびに、作業を中断しなければならないので、作業性が悪く、場合によっては、仕上がり外観に影響することもあった。
【０００５】
さらに、特許文献１では、治具の使用途中に作業を中断してコーキング材や接着剤を床などに置くと、作業者に握られていたフィルムパックは、その形状が原形に戻りにくいので、内容物がノズルから漏れ出て、周囲を汚染してしまうという問題もあった。
【先行技術文献】
【特許文献】
【０００６】
【特許文献１】特開平１１−３０９３９９号公報
【発明の概要】
【発明が解決しようとする課題】
【０００７】
本発明は、このような問題を解決するためになされたものであり、ノズル付きフィルム製容器の内部に充填されているコーキング材や接着剤等の流動性物質を所望の箇所に施与する際に、ノズル付きフィルム製容器を握った方の手のみで充填された流動性物質を出し切ることができ、また、途中で流動性物質の使用を中断する場合であっても、流動性物質がノズル付きフィルム製容器のノズルから漏れ出ることを防止し、さらに、ノズル付きフィルム製容器のノズルが任意の形状であっても装着可能である流動性物質の吐出用アダプタを提供することを目的とする。
【課題を解決するための手段】
【０００８】
本発明の態様は、ノズル付きフィルム製容器に充填された流動性物質の吐出用アダプタであって、前記ノズル付きフィルム製容器を収容する、弾性を有する本体部と、該本体部の一方の端部に設けられている、前記ノズル付きフィルム製容器のノズルが着脱自在に嵌合されるノズル口と、該本体部の他方の端部に設けられている開口部を密封する蓋部とを有し、前記本体部の側面部に、該側面部を貫通した吸気口が設けられていることを特徴とする流動性物質の吐出用アダプタである。
【０００９】
本発明の態様は、前記吸気口に、逆止弁が設けられていることを特徴とする流動性物質の吐出用アダプタである。上記逆止弁は、吐出用アダプタの外部環境から吐出用アダプタ内部へのみ空気が通る構成、すなわち、吐出用アダプタ内部から吐出用アダプタ外部へは空気が通らない構成の弁である。
【００１０】
本発明の態様は、前記吸気口が、直径１ｍｍ〜５ｍｍの円形状であることを特徴とする流動性物質の吐出用アダプタである。
【００１１】
本発明の態様は、前記吸気口が、前記ノズル口側の端部と前記蓋部側の端部との間の中央に位置するアダプタ中央部、前記アダプタ中央部と前記ノズル口側の端部との間の中央部から前記アダプタ中央部までの間、または前記アダプタ中央部と前記蓋部側の端部との間の中央部から前記アダプタ中央部までの間に設けられていることを特徴とする流動性物質の吐出用アダプタである。
【００１２】
この態様では、吐出用アダプタのノズル口と蓋部とを結ぶ方向である長手方向について、ノズル口側１／４の範囲以外の領域かつ蓋部側１／４の範囲以外の領域に、吸気口を設けている。
【００１３】
本発明の態様は、前記ノズル口に設けるパッキンが、交換可能であることを特徴とする流動性物質の吐出用アダプタである。
【発明の効果】
【００１４】
本発明の態様によれば、弾性を有する本体部の側面部に吸気口が設けられているので、作業者は、吐出用アダプタを持った方の手で、吸気口を塞ぎながら吐出用アダプタの本体部を握りしめることで、吐出用アダプタ内部の圧力が高まって、ノズル付きフィルム製容器に充填されているコーキング材や接着剤等の流動性物質が円滑に吐出できる。つまり、弾性を有する本体部は作業者によって握られることにより圧縮変形し、この圧縮変形による吐出用アダプタ内部の圧力上昇が、流動性物質の吐出力となる。このように、流動性物質の吐出が吐出用アダプタを持った方の手を握ることによる吐出用アダプタ内部の圧力の高まりに起因するので、吐出用アダプタを持った方の手のみにて流動性物質をノズル付きフィルム製容器から出し切ることができる。また、上記の通り、本体部は弾性を有するので、圧縮変形した本体部は作業者が本体部の握りを止めることで、元の形状を回復する。従って、作業者は吐出用アダプタを持ち替えることなく本体部を繰り返し握ることで、流動性物質を簡易かつ確実に出し切ることができる。さらに、作業者は、吸気口から手を離すだけで、吸気口を介して吐出用アダプタの外部環境から吐出用アダプタの内部へ空気を流入させることができ、結果、吐出用アダプタ内部の圧力が外部環境の気圧と同じになる。つまり、作業者は、吸気口から手を離すだけで、ノズル付きフィルム製容器のノズルからの流動性物質の吐出を止めることができるので、途中で流動性物質の使用を中断する場合でも、ノズル付きフィルム製容器のノズルから流動性物質が漏れ出ることを容易に防止できる。また、上記の通り、作業者が本体部の握りを止めると、弾性を有する本体部は自然と元の形状を回復するので、円滑に吐出を再開できる。
【００１５】
本発明の態様によれば、吸気口に逆止弁を設けることにより、手で吸気口を塞ぐことなしに、吐出用アダプタ内部の圧力を高めることができ、さらに作業性が向上する。
【００１６】
本発明の態様によれば、吸気口が、直径１ｍｍ〜５ｍｍの円形状であることにより、ノズル付きフィルム製容器を握った方の手の指先部分で吸気口を容易に塞ぐことができるので、吐出用アダプタ内部の圧力を確実に高めて、流動性物質の吐出作業をより効率化できる。
【００１７】
本発明の態様によれば、吸気口が、ノズル口側の端部と蓋部側の端部との間の中央に位置するアダプタ中央部、アダプタ中央部とノズル口側の端部との間の中央部からアダプタ中央部までの間、またはアダプタ中央部と蓋部側の端部との間の中央部からアダプタ中央部までの間に設けられていることで、簡易かつより確実に、吐出用アダプタを握った方の手にて吸気口を塞ぎつつ流動性物質を出し切ることができる。
【００１８】
本発明の態様によれば、ノズル口に設けるパッキンが交換可能であることにより、ノズル付きフィルム製容器のノズルが任意の形状であっても、吐出用アダプタに装着することができる。
【図面の簡単な説明】
【００１９】
【図１】本発明の実施形態例に係る吐出用アダプタの断面図である。
【図２】本発明の実施形態例に係る吐出用アダプタの側面図である。
【図３】本発明の実施形態例に係る吐出用アダプタの平面図である。
【図４】本発明の実施形態例に係る吐出用アダプタに、ノズル付きフィルム製容器を装填した状態の説明図である。
【図５】本発明の実施形態例に係る吐出用アダプタの吸気口に逆止弁を設けた状態の説明図である。
【発明を実施するための形態】
【００２０】
次に、本発明の流動性物質の吐出用アダプタの実施形態例について、図面を用いながら説明する。本発明の流動性物質の吐出用アダプタ１は、図１に示すように、ノズル付きフィルム製容器を収容する本体部１１と、該本体部１１の一方の端部に設けられている、前記ノズル付きフィルム製容器のノズルが着脱自在に嵌合されるノズル口１２と、該本体部１１の他方の端部に設けられている開口部を密封する蓋部１３とを有している。
【００２１】
流動性物質の吐出用アダプタ１の本体部１１は、両端部が開口した中空構造となっている。本体部１１の形状は円柱状であり、一方の端部に設けられた開口部であるノズル口１２の近くでは、ノズル口１２に近づくにつれて縮径している。本体部１１の他方の端部に設けられた開口部に蓋部１３が装着されて該開口部が塞がれることで、吐出用アダプタ１は袋状となる。
【００２２】
本体部１１の材質は、弾性を有し、空気を通さないものであれば特に限定されないが、加工の容易さの点から、フィルム状の金属や樹脂などが好ましい。樹脂としては、例えば、ポリエチレンテレフタレート（ＰＥＴ）、ポリプロピレン（ＰＰ）、ポリエチレン（ＰＥ）、ポリイミドなどを上げることができる。また、本体部１１の肉厚は、特に限定されないが、適度な弾性の点から、金属製の場合は０．１〜１ｍｍ、樹脂製の場合は０．１〜３ｍｍが好ましい。
【００２３】
また、図２に示すように、本体部１１の側面部２１には、側面部２１を貫通する吸気口２２が１つ設けられている。吸気口２２は、吐出されたノズル付きフィルム製容器の内容物の体積、すなわち、使用した流動性物質の体積に相当する体積の空気を、本体部１１内部に取り込むためのものである。流動性物質の吐出作業時には、ノズル付きフィルム製容器が収納された吐出用アダプタ１を握った方の手のみで本体部１１内部の空気が吸気口２２を介して外部環境へ漏れないよう吸気口２２を塞ぐことができ、流動性物質の吐出作業終了時には、吐出用アダプタ１の握りを解いて本体部１１がその弾性により元に戻る際に、外部環境の空気が円滑に吸気口２２を介して本体部１１内部へ取り入れられれば、吸気口２２の形状、寸法は特に限定されない。実施形態例に係る吐出用アダプタ１では、作業効率の点から、指先部１つで吸気口２２を容易に塞ぐことができるような形状、寸法としている。具体的には、吸気口２２の形状は円形状であり、その直径は１〜５ｍｍの範囲としている。
【００２４】
側面部２１における吸気口２２の位置は、作業者が吐出用アダプタ１を握った手にて、吸気口２２を塞ぐことができる位置であれば特に限定されないが、吐出用アダプタ１を握り締めつつ、容易かつ確実に吸気口２２を塞ぐことができる点から、ノズル口１２側の端部と蓋部１３側の端部との間の中央に位置するアダプタ中央部、アダプタ中央部とノズル口１２側の端部との間の中央部からアダプタ中央部までの間、またはアダプタ中央部と蓋部１３側の端部との間の中央部からアダプタ中央部までの間のいずれかに設けられているのが好ましい。図２では、吸気口２２は、アダプタ中央部よりもやや蓋部１３側、すなわち、アダプタ中央部と蓋部１３側の端部との間の中央部からアダプタ中央部までの間の領域の側面部２１に設けられている。
【００２５】
図１に示すように、吐出用アダプタ１のノズル口１２には、ノズルパッキン１４が脱着可能に装着されて、本体部１１の内壁面とノズルパッキン１４の外周面との間が気密状態に維持される。ノズルパッキン１４の中央部には、流動性物質が充填されたノズル付きフィルム製容器のノズルを嵌挿するための貫通孔であるノズル挿入部１７が設けられている。図１の吐出用アダプタ１では、ノズル形状に対応して、ノズル挿入部１７にテーパーが付けられている。ノズル挿入部１７は、ノズル付きフィルム製容器のノズルの外周部がノズル挿入部１７を形成する内壁面と密着するような形状となっている。従って、ノズル口１２にノズルパッキン１４が装着されることにより、ノズル周辺からの空気の漏れを防止できる。また、ノズル口１２の周縁部には、ねじ溝を有するキャップ接合部１６が設けられている。
【００２６】
図１、３に示すように、ねじ溝を有するキャップ１８がキャップ接合部１６とねじ作用で嵌められてノズル口１２に装着されることで、ノズル挿入部１７の設けられたノズルパッキン１４が脱落するのを防止できる。また、キャップ１８をノズル口１２から取り外すことで、ノズルパッキン１４を交換することができる。
【００２７】
図１に示すように、吐出用アダプタ１の蓋部１３は、ノズル口１２と対向する開口部を密閉するためのものである。このノズル口１２と対向する開口部は、流動性物質が充填されたノズル付きフィルム製容器を吐出用アダプタ１内部、すなわち、本体部１１の中空部へ装入し、また、使用後のノズル付きフィルム製容器を吐出用アダプタ１内部から取り出すために設けられている。本体部１１の蓋側端部には、ねじ溝を有する蓋部接合部１９が設けられている。蓋部接合部１９の端部には、吐出用アダプタ１内部の気密性を向上させるために、本体パッキン２０が備えられている。ねじ溝を有する蓋部１３が蓋部接合部１９とねじ作用で嵌められてノズル口１２と対向する開口部に装着されることで、ノズル口１２と対向する他方の開口部を密閉することができ、結果、空気の漏れを防止できる。蓋部１３の材質は特に限定されないが、吐出用アダプタ１では、本体部１１と同じ樹脂種を使用している。
【００２８】
図４に示すように、ノズル付きフィルム製容器３１は、吐出用アダプタ１内部に収納される。ノズル付きフィルム製容器３１のノズル３２が、ノズルパッキン１４に設けられたノズル挿入部１７に挿入されることで、ノズル付きフィルム製容器３１は吐出用アダプタ１に脱着可能に装着される。蓋部１３を、本体パッキン２０が備えられた蓋部接合部１９を介して、ノズル口１２と対向する開口部に取り付けることで、ノズル付きフィルム製容器３１を吐出用アダプタ１内部に封入することができる。また、吐出用アダプタ１の一方の端部に取り付けられたノズルパッキン１４と、他方の端部に取り付けられた蓋部１３により、吐出用アダプタ１の両端部にある開口部が密閉されているので、作業者が吸気口２２を手で塞ぐと、ノズル付きフィルム製容器３１が収納されている吐出用アダプタ１内部を、気密状態にすることができる。
【００２９】
次に、本発明の実施形態例に係る吐出用アダプタ１の使用方法例を説明する。作業者は、まず、蓋部１３を吐出用アダプタ１から取り外す。次に、流動性物質（例えば、コーキング剤や接着剤）が充填されたノズル付きフィルム製容器３１のノズル３２の外周部がノズルパッキン１４に設けられたノズル挿入部１７の内壁面に密着するように押し込むことで、ノズル付きフィルム製容器３１を本体部１１の内部に装填する。このとき、ノズル３２の形状、寸法に適合した形状、寸法を有するノズル挿入部１７が設けられたノズルパッキン１４を選択し、ノズル口１２に装着しておく。なお、ノズル３２とノズル付きフィルム製容器３１の容器部との接合部に保存用のシールなどがある場合は、それを外した後に、本体部１１の内部にノズル付きフィルム製容器３１を装填する。
【００３０】
ノズル付きフィルム製容器３１を本体部１１の内部に装填した後、蓋部１３を本体部１１に嵌めて、ノズルパッキン１４が装着されているノズル口１２に対向する端部を、密閉する。これにより、吐出用アダプタ１内部にノズル付きフィルム製容器３１が収容される。次に、吸気口２２を指で塞いで、ノズルパッキン１４の劣化等によってノズル挿入部１７およびキャップ１８から、本体パッキン２０の劣化等によって蓋部１３から、それぞれ、空気の漏れが無いか確認する。上記確認後、ノズルパッキン１４の外側端面から突出しているノズル３２の先端部（図４参照）をノズルパッキン１４の外側端面と面一となるように切り落とす。
【００３１】
作業者は、吸気口２２を指で塞いだ手で本体部１１を握り、吐出用アダプタ１内部の圧力を高めることで、ノズル付きフィルム製容器３１の内容物、すなわち、流動性物質を押し出し、所望の場所に所望量の流動性物質を施与する。ノズル３２からの内容物の吐出を止めるときは、握る力を弱めるとともに吸気口２２を塞いでいた指を吸気口２２から離す。これにより、吸気口２２を介して外部環境から吐出用アダプタ１内部へ空気が流れて吐出用アダプタ１内部の圧力が下がり、ノズル付きフィルム製容器３１の内容物の吐出が止まる。それとともに、吐出用アダプタ１の本体部１１の弾性力により、吐出用アダプタ１が元の形状に戻る。
【００３２】
流動性物質の施与作業を再開する場合には、再び、吸気口２２を指で塞いだ手にて本体部１１を握ることにより、ノズル付きフィルム製容器３１の内容物を吐出することができる。また、吸気口２２を塞いだ片方の手にて本体部１１を握ることで、ノズル付きフィルム製容器３１の内容物を最後まで吐出することができる。
【００３３】
次に、本発明の吐出用アダプタについて、他の実施態様例を説明する。上記本発明の実施形態例に係る吐出用アダプタ１では、吸気口２２を指で塞いで、吐出用アダプタ１内部の気密性を確保していたが、これに代えて、図５に示すように、本体部１１内部から外部環境へは空気は漏出せず、外部環境から本体部１１の内部へのみ空気が通る逆止弁４０を吸気口２２に設けてもよい。この逆止弁４０により、作業者の手で吸気口２２を塞ぐことなく、本体部１１を握るだけで、吐出用アダプタ１内部の気密性を確保でき、ノズル付きフィルム製容器３１の内容物を吐出することができる。
【００３４】
ノズル付きフィルム製容器３１の内容物の残量を確認するなどのために、ノズル付きフィルム製容器３１の状態を目視する場合は、本体部１１は、透明性を有する樹脂としてもよい。透明性を有する樹脂としては、具体的には、上記した樹脂種を挙げることができる。また、蓋部、キャップ接合部だけを異なる材質とすることもでき、例えば、気密性をさらに保持するために、本体部１１で使用した樹脂よりも硬質の材料を用いることもできる。
【００３５】
また、必要に応じて、キャップ１８をノズル口１２に装着しない態様とすることもできる。さらに、本発明の実施形態例に係る吐出用アダプタ１では、蓋部は本体部１１の端部の開口部に装着されていたが、これに代えて、本体部１１の側面部に開口部を設け、該開口部に蓋部が装着される態様としてもよい。
【産業上の利用可能性】
【００３６】
本発明の吐出用アダプタは、一方の手のみで、容器に充填された流動性物質を出し切ることができ、また、途中で流動性物質の使用を中断する場合であっても、流動性物質が容器のノズルから漏れ出ることを防止できるので、例えば、作業効率が重視される建築現場などで、コーキング材や接着剤を施与する場合に、特に、利用価値が高い。
【符号の説明】
【００３７】
１          吐出用アダプタ
１１        本体部
１２        ノズル口
１３        蓋部
１４        ノズルパッキン
２２        吸気口
【図１】
2015137120.tif 000003
【図２】
2015137120.tif 000004
【図３】
2015137120.tif 000005
【図４】
2015137120.tif 000006
【図５】
2015137120.tif 000007
【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
ノズル付きフィルム製容器に充填された流動性物質の吐出用アダプタであって、
前記ノズル付きフィルム製容器を収容する、弾性を有する本体部と、該本体部の一方の端部に設けられている、前記ノズル付きフィルム製容器のノズルが着脱自在に嵌合されるノズル口と、該本体部の他方の端部に設けられている開口部を密封する蓋部とを有し、
前記本体部の側面部に、該側面部を貫通した吸気口が設けられ、前記ノズル口には、前記ノズル付きフィルム製容器のノズルを嵌挿するための貫通孔が設けられたノズルパッキンが脱着可能に装着され、前記ノズル口の周縁部に設けられたキャップ接合部にキャップが嵌められて前記ノズル口に装着されていることを特徴とする流動性物質の吐出用アダプタ。
【請求項２】
前記吸気口に、逆止弁が設けられていることを特徴とする請求項１に記載の流動性物質の吐出用アダプタ。
【請求項３】
前記吸気口が、直径１ｍｍ〜５ｍｍの円形状であることを特徴とする請求項１または２に記載の流動性物質の吐出用アダプタ。
【請求項４】
前記吸気口が、前記ノズル口側の端部と前記蓋部側の端部との間の中央に位置するアダプタ中央部、前記アダプタ中央部と前記ノズル口側の端部との間の中央部から前記アダプタ中央部までの間、または前記アダプタ中央部と前記蓋部側の端部との間の中央部から前記アダプタ中央部までの間に設けられていることを特徴とする請求項１乃至３のいずれか１項に記載の流動性物質の吐出用アダプタ。
【請求項５】
前記ノズル口に設けるパッキンが、交換可能であることを特徴とする請求項１乃至４のいずれか１項に記載の流動性物質の吐出用アダプタ。
【手続補正２】
【補正対象書類名】明細書
【補正対象項目名】０００８
【補正方法】変更
【補正の内容】
【０００８】
本発明の態様は、ノズル付きフィルム製容器に充填された流動性物質の吐出用アダプタであって、前記ノズル付きフィルム製容器を収容する、弾性を有する本体部と、該本体部の一方の端部に設けられている、前記ノズル付きフィルム製容器のノズルが着脱自在に嵌合されるノズル口と、該本体部の他方の端部に設けられている開口部を密封する蓋部とを有し、前記本体部の側面部に、該側面部を貫通した吸気口が設けられ、前記ノズル口には、前記ノズル付きフィルム製容器のノズルを嵌挿するための貫通孔が設けられたノズルパッキンが脱着可能に装着され、前記ノズル口の周縁部に設けられたキャップ接合部にキャップが嵌められて前記ノズル口に装着されていることを特徴とする流動性物質の吐出用アダプタである。
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
ノズル付きフィルム製容器に充填された流動性物質の吐出用アダプタであって、
前記ノズル付きフィルム製容器を収容する、弾性を有する本体部と、該本体部の一方の端部に設けられている、前記ノズル付きフィルム製容器のノズルが着脱自在に嵌合されるノズル口と、該本体部の他方の端部に設けられている開口部を密封する蓋部とを有し、
前記本体部の側面部に、該側面部を貫通した吸気口が設けられ、前記ノズル口には、前記ノズル付きフィルム製容器のノズルを嵌挿するための貫通孔が設けられたノズルパッキンが脱着可能に装着され、前記ノズル口の周縁部に設けられたキャップ接合部に、前記ノズルを嵌挿するための貫通孔が設けられたキャップが、嵌められて、前記ノズルパッキンの脱落を防止するように前記ノズル口に取り外し可能に装着され、前記ノズル口に設ける前記ノズルパッキンが、交換可能であることを特徴とする流動性物質の吐出用アダプタ。
【請求項２】
前記吸気口に、逆止弁が設けられていることを特徴とする請求項１に記載の流動性物質の吐出用アダプタ。
【請求項３】
前記吸気口が、直径１ｍｍ〜５ｍｍの円形状であることを特徴とする請求項１または２に記載の流動性物質の吐出用アダプタ。
【請求項４】
前記吸気口が、前記ノズル口側の端部と前記蓋部側の端部との間の中央に位置するアダプタ中央部、前記アダプタ中央部と前記ノズル口側の端部との間の中央部から前記アダプタ中央部までの間、または前記アダプタ中央部と前記蓋部側の端部との間の中央部から前記アダプタ中央部までの間に設けられていることを特徴とする請求項１乃至３のいずれか１項に記載の流動性物質の吐出用アダプタ。
【手続補正２】
【補正対象書類名】明細書
【補正対象項目名】０００８
【補正方法】変更
【補正の内容】
【０００８】
本発明の態様は、ノズル付きフィルム製容器に充填された流動性物質の吐出用アダプタであって、前記ノズル付きフィルム製容器を収容する、弾性を有する本体部と、該本体部の一方の端部に設けられている、前記ノズル付きフィルム製容器のノズルが着脱自在に嵌合されるノズル口と、該本体部の他方の端部に設けられている開口部を密封する蓋部とを有し、前記本体部の側面部に、該側面部を貫通した吸気口が設けられ、前記ノズル口には、前記ノズル付きフィルム製容器のノズルを嵌挿するための貫通孔が設けられたノズルパッキンが脱着可能に装着され、前記ノズル口の周縁部に設けられたキャップ接合部に、前記ノズルを嵌挿するための貫通孔が設けられたキャップが、嵌められて、前記ノズルパッキンの脱落を防止するように前記ノズル口に取り外し可能に装着され、前記ノズル口に設ける前記ノズルパッキンが、交換可能であることを特徴とする流動性物質の吐出用アダプタである。